(57)【要約】【課題】オペレータなどの電話機の使用者がヘッドセット通話中に少し離れた場所へ資料を探しに行く場合等にでも、通話相手と話をすることができる電話装置を提供することを目的とする。【解決手段】本発明の電話装置は、ハンドセットを用いて通話可能なハンドセット通話モードとヘッドセット２９を用いて通話可能なヘッドセット通話モードとを有し、ヘッドセット通話モード時に、ヘッドセット通話とハンズフリー通話との切替を指示するために用いられるハンズフリー／フックキー２４ｄ（ボタン）と、ハンズフリー／フックキー２４ｄからの入力を検出する入力検出手段とを備えた構成としている。【選択図】  図２
2004282332.tif 000002
【特許請求の範囲】
【請求項１】
ハンドセットを用いて通話可能なハンドセット通話モードと、ヘッドセットを用いて通話可能なヘッドセット通話モードとを有する電話装置であって、前記ヘッドセット通話モードで通話時に、ヘッドセット通話とハンズフリー通話との切替を指示するために用いられるボタンと、該ボタンからの入力を検出する入力検出手段とを備えたことを特徴とする電話装置。
【請求項２】
ハンドセットを用いて通話可能なハンドセット通話モードと、ヘッドセットを用いて通話可能なヘッドセット通話モードとを有する電話装置であって、
前記ハンドセットモード時には、ハンドセット通話とハンズフリー通話との切替を指示するために用いられ、且つ前記ヘッドセット通話時には、オフフックとオンフックを指示するために用いられる第１のボタンと、
前記ヘッドセットモード時に、ヘッドセット通話とハンズフリー通話との切替を指示するために用いられる第２のボタンと、
前記第１ボタンと前記第２ボタンからの入力を検出する入力検出手段とを備えたことを特徴とする電話装置。
【請求項３】
前記ハンドセットモード時には、オフフックとオンフックを指示するために用いられ、前記ヘッドセットモード時には、機能しないフックスイッチを有することを特徴とする請求項２記載の電話装置。
【請求項４】
表示手段を有し、前記ヘッドセットモード時において、前記第２のボタンを押下すると、ハンズフリー通話である情報もしくはヘッドセット通話である情報を前記表示手段に表示することを特徴とする請求項２または３に記載の電話装置。
【請求項５】
前記第２のボタンは、機能割当てが可能な機能ボタンのうち少なくとも１つのボタンに自由に割当て可能とした請求項２〜４のいずれかに記載の電話装置。
【請求項６】
内線電話端末と該内線電話端末を接続可能な主装置とからなる電話装置であって、
前記主装置は、前記内線電話端末を接続するための内線インターフェイスと、
前記内線電話端末からヘッドセット／ハンズフリー切替要求を受信したとき、
前記内線電話端末がヘッドセット動作状態であると判定した場合には、前記内線電話端末のハンズフリー動作要求を送信し、前記内線電話端末がハンズフリー動作状態であると判定した場合には、前記内線電話端末のヘッドセット動作要求を送信する制御手段とを備え、
前記内線電話端末は、ヘッドセット機能を動作させるためのヘッドセット動作手段と、
ハンズフリー機能を動作させるためのハンズフリー動作手段と、
ヘッドセット／ハンズフリー切替要求を前記主装置に送信するためのヘッドセット／ハンズフリー切替要求送信手段と、
前記主装置からの要求により、前記ヘッドセット動作手段及び前記ハンズフリー動作手段を動作させるための制御手段と、を備えたことを特徴とする電話装置。
【請求項７】
前記内線通信端末には、ヘッドセット／ハンズフリー切替要求を前記主装置に送信するための第２のボタンと、該第２のボタンからの入力を検出する入力検出手段とが設けられたことを特徴とする請求項６記載の電話装置。
【請求項８】
前記主装置には、内線通信端末のヘッドセットの機能をオンもしくはオフする設定を行うヘッドセットモード設定手段が設けられたことを特徴とする請求項６または７に記載の電話装置。
【請求項９】
前記内線通信端末が第１のボタンを備え、前記主装置の前記制御手段は、ヘッドセットモード設定手段により前記内線電話端末のヘッドセットの機能がオンされているときに、前記第１のボタンの押下を検出すると、該内線電話端末のオフフックまたはオンフックの要求であると判定してオンフックまたはオフフックの処理を行い、一方、前記内線電話端末のヘッドセットの機能がオフされているときに、前記第１のボタンの押下を検出すると、ハンズフリー動作要求であると判断して前記内線電話端末に対しハンズフリー動作要求を送信することを特徴とする請求項８記載の電話装置。
【請求項１０】
前記主装置には、
前記内線インターフェイスに対応する内線番号ごとに、内線電話端末の複数の機能ボタンにそれぞれ機能種別を割当てた内線機能キーテーブルが設けられ、
前記内線機能キーテーブルにおいて、前記機能種別の１つとしてヘッドセット／ハンズフリー切替要求が割当てられることを特徴とする請求項６〜９のいずれかに記載の電話装置。
【請求項１１】
前記内線電話端末には、ハンドセットを接続するためのハンドセットジャックが設けられたことを特徴とする請求項６〜１０のいずれかに記載の電話装置。
【発明の詳細な説明】
【０００１】
【発明の属する技術分野】
本発明は、ヘッドセット通話可能な電話装置に関する。
【０００２】
【従来の技術】
従来から、電話受付係などのように頻繁に通話を行う者のために、電話機に接続するハンドセットの代わりに、頭に装着でき、イヤホン及びマイクから構成されるヘッドセットが提供されている。このヘッドセットは、電話機のハンドセットジャックに接続可能に構成されており、利用者は、ハンドセットをハンドセットジャックから脱着して、ヘッドセットを取り付けることにより、簡単にヘッドセットにより通話が可能となるが、単にハンドセットジャックに接続していたハンドセットをヘッドセットに付け替えただけでは、回線の切断や開放等をフックスイッチで行わなければならず、極めて不便である。
【０００３】
そこで、ハンドセット使用時には、切替スイッチにより、フックスイッチ以外のスイッチを用いて回線の切断や開放等を行うものがでてきている（例えば、特許文献１参照）。
【０００４】
【特許文献１】
特開平５−３２７８４３号公報
【０００５】
【発明が解決しようとする課題】
しかしながら上記従来の構成では、オペレータなどの電話機の使用者がヘッドセット通話中に少し離れた場所へ資料を探しに行く場合、通話相手と話をすることができないという課題があった。
【０００６】
本発明は、上記従来の課題に鑑み、ヘッドセット通話中に少し離れた場所へ資料を探しに行く場合等においても、通話相手と話をすることができる電話装置を提供することを目的とする。
【０００７】
【課題を解決するための手段】
本発明は上記従来の課題を解決するために、ヘッドセット通話モードで通話時に、ヘッドセット通話とハンズフリー通話との切替を指示するために用いられるボタンと、該ボタンからの入力を検出する入力検出手段とを備えた構成としている。
【０００８】
これにより、ヘッドセット通話中に少し離れた場所へ資料を探しに行く場合等においても、通話相手と話をすることができる電話装置を提供することができる。
【０００９】
【発明の実施の形態】
本発明の第１の発明は、ハンドセットを用いて通話可能なハンドセット通話モードと、ヘッドセットを用いて通話可能なヘッドセット通話モードとを有する電話装置であって、前記ヘッドセット通話モードで通話時に、ヘッドセット通話とハンズフリー通話との切替を指示するために用いられるボタンと、該ボタンからの入力を検出する入力検出手段とを備えたことを特徴とする電話装置であり、ヘッドセット通話中に少し離れた場所等へ資料を探しに行く場合においても、所定のボタンを押すだけで、ヘッドセット通話時からハンズフリー通話への切り替え、及びその逆の切替を行うことができる。
【００１０】
本発明の第２の発明は、ハンドセットを用いて通話可能なハンドセット通話モードと、ヘッドセットを用いて通話可能なヘッドセット通話モードとを有する電話装置であって、前記ハンドセットモード時には、ハンドセット通話とハンズフリー通話との切替を指示するために用いられ、且つ前記ヘッドセット通話時には、オフフックとオンフックを指示するために用いられる第１のボタンと、前記ヘッドセットモード時に、ヘッドセット通話とハンズフリー通話との切替を指示するために用いられる第２のボタンと、前記第１ボタンと前記第２ボタンからの入力を検出する入力検出手段とを備えたことを特徴とする電話装置であり、第１のボタンを、ハンドセットモード時におけるハンズフリー通話を指示するためのボタンとして、またヘッドセットモード時におけるフックボタンとして共用できる。これは、例えばハンズフリー／フックボタンであり、ハンドセットモード時にハンドセットを置いたままで通話をする場合に、オフフックやオンフックの要求ができるフックボタンを、ヘッドセットモード時にもオフフックやオンフック要求のために使用できるため、利用者にとって極めて分かり易い。また、ヘッドセットモード時には、ヘッドセット通話とハンズフリー通話との切替を指示するための第２のボタンを設けたので、ヘッドセット通話中に少し離れた場所へ資料を探しに行く場合においても、第２のボタンを押すだけで、ヘッドセット通話時からハンズフリー通話へ切り替え、またはその逆の切替を行うことができ、利便性が大幅に向上する。
【００１１】
本発明の第３の発明は、第２の発明において、前記ハンドセットモード時には、オフフックとオンフックを指示するために用いられ、前記ヘッドセットモード時には、機能しないフックスイッチを有することを特徴とする電話装置であり、ヘッドセットモード時にはフックスイッチが機能しなくなるから、フックスイッチを押すためにハンドセットを電話装置に置いておく必要がなく、また誤ってハンドセットを触ってしまったときに意図しないオフフックやオンフックが行われることを避けることができる。
【００１２】
本発明の第４の発明は、第２または３の発明において、表示手段を有し、前記ヘッドセットモード時において、前記第２のボタンを押下すると、ハンズフリー通話である情報もしくはヘッドセット通話である情報を前記表示手段に表示することを特徴とする電話装置であり、表示手段にハンズフリー状態である旨やヘッドセット通話である旨の表示をするので、内線電話機の利用者は容易にハンズフリー機能、ヘッドセット機能が動作していることを理解することができる。
【００１３】
本発明の第５の発明は、第２〜４のいずれかの発明において、前記第２のボタンは、機能割当てが可能な機能ボタンのうち少なくとも１つのボタンに自由に割当て可能とした電話装置であり、ヘッドセット機能を使用しない利用者は、機能ボタンに他の機能を割当てることができ、一方ヘッドセット機能を使用する利用者は、機能ボタンにヘッドセット通話とハンズフリー通話との切替のためのボタンを機能ボタンに割当てることができるため、数が限られている機能ボタンを有効に使用することができる。
【００１４】
本発明の第６の発明は、内線電話端末と該内線電話端末を接続可能な主装置とからなる電話装置であって、前記主装置は、前記内線電話端末を接続するための内線インターフェイスと、前記内線電話端末からヘッドセット／ハンズフリー切替要求を受信したとき、前記内線電話端末がヘッドセット動作状態であると判定した場合には、前記内線電話端末のハンズフリー動作要求を送信し、前記内線電話端末がハンズフリー動作状態であると判定した場合には、前記内線電話端末のヘッドセット動作要求を送信する制御手段とを備え、前記内線電話端末は、ヘッドセット機能を動作させるためのヘッドセット動作手段と、ハンズフリー機能を動作させるためのハンズフリー動作手段と、ヘッドセット／ハンズフリー切替要求を前記主装置に送信するためのヘッドセット／ハンズフリー切替要求送信手段と、前記主装置からの要求により、前記ヘッドセット動作手段及び前記ハンズフリー動作手段を動作させるための制御手段と、を備えたことを特徴とする電話装置であり、ヘッドセット通話中に少し離れた場所へ資料を探しに行く場合等においても、所定のボタンを押すだけで、ヘッドセット通話時からハンズフリー通話へ切り替え、及びその逆の切替を行うことができる。
【００１５】
本発明の第７の発明は、第６の発明において、前記内線通信端末には、ヘッドセット／ハンズフリー切替要求を前記主装置に送信するための第２のボタンと、該第２のボタンからの入力を検出する入力検出手段とが設けられたことを特徴とする電話装置であり、主装置と電話端末装置が離れている場合においても、電話端末装置に配置されたボタンを操作するだけで、ヘッドセット通話時からハンズフリー通話へ切り替え、及びその逆の切替を行うことができる。
【００１６】
本発明の第８の発明は、第６または７の発明において、前記主装置には、内線通信端末のヘッドセットの機能をオンもしくはオフする設定を行うヘッドセットモード設定手段が設けられたことを特徴とする電話装置であり、内線端末装置を設定によりヘッドセットモードに移行させることができる。
【００１７】
本発明の第９の発明は、第８の発明において、前記内線通信端末が第１のボタンを備え、前記主装置の前記制御手段は、ヘッドセットモード設定手段により前記内線電話端末のヘッドセットの機能がオンされているときに、前記第１のボタンの押下を検出すると、該内線電話端末のオフフックまたはオンフックの要求であると判定してオンフックまたはオフフックの処理を行い、一方、前記内線電話端末のヘッドセットの機能がオフされているときに、前記第１のボタンの押下を検出すると、ハンズフリー動作要求であると判断して前記内線電話端末に対しハンズフリー動作要求を送信することを特徴とする電話装置であり、第１のボタンを、ハンドセットモード時におけるハンズフリー通話を指示するためのボタンとして、またヘッドセットモード時におけるフックボタンとして共用できる。すなわち、ハンドセットモード時にハンドセットを置いたままで通話をする場合に、オフフックやオンフックの要求ができるフックボタンを、ヘッドセットモード時にもオフフックやオンフック要求のために使用できるため、利用者にとって極めて分かり易い。
【００１８】
本発明の第１０の発明は、第６〜９のいずれかの発明において、前記主装置には、前記内線インターフェイスに対応する内線番号ごとに、内線電話端末の複数の機能ボタンにそれぞれ機能種別を割当てた内線機能キーテーブルが設けられ、前記内線機能キーテーブルにおいて、前記機能種別の１つとしてヘッドセット／ハンズフリー切替要求が割当てられることを特徴とする電話装置であり、ヘッドセット機能を使用しない利用者は、機能ボタンに他の機能を割当てることができ、一方ヘッドセット機能を使用する利用者は、機能ボタンにヘッドセット通話とハンズフリー通話との切替のためのボタンを機能ボタンに割当てることができるため、数が限られている機能ボタンを有効に使用することができる。
【００１９】
本発明の第１１の発明は、第６〜１０のいずれかの発明において、前記内線電話端末には、ハンドセットを接続するためのハンドセットジャックが設けられたことを特徴とする電話装置であり、ハンドセットとヘッドセットを容易に交換することができるという作用を有する。
【００２０】
以下、本発明の実施の形態について、図面を参照しながら説明する。
【００２１】
（実施の形態１）
図１は本発明の実施の形態１における構内交換機のブロック図、図２は本発明の実施の形態１における内線電話機の概観図、図３は本発明の実施の形態１における内線電話機のブロック図である。
【００２２】
図１において、１は構内交換機主装置（本発明の主装置）、２は内線電話機（本発明の内線電話端末）である。１１はアナログ電話回線との接続及び通信を行うアナログ外線インターフェイス、１２はデジタル電話回線との接続及び通信を行うデジタル外線インターフェイス、１３ａ〜１３ｎは内線電話機を接続するための内線インターフェイス、１４はアナログ外線インターフェイス１１，デジタル外線インターフェイス１２，内線インターフェイス１３間の音声信号の接続及び切断を行うためのスイッチ手段である。
【００２３】
また、１５は内線インターフェイスを介して内線電話機２の表示制御、機能制御、通話制御等を行う内線制御手段であり、以下説明するヘッドセット／ハンズフリー通話制御手段１５ａ、ハンドセット／ハンズフリー通話制御手段１５ｂ、機能キー処理手段１５ｃ、ヘッドセットモード設定手段１５ｄを含むものである。
【００２４】
１５ａは、内線電話機２からヘッドセット／ハンズフリー切替要求を受信したときに、後述のヘッドセット状態記憶手段１６ａに記憶しているヘッドセット状態に基づいて、内線電話機２がヘッドセット動作状態であると判断した場合に、内線電話機２のハンズフリー動作要求を送信し、内線電話機２がハンズフリー動作状態であると判断した場合に、内線電話機２のヘッドセット動作要求を送信する等の動作を行うヘッドセット／ハンズフリー通話制御手段である。次に１５ｂは、内線電話機２からハンズフリーボタン処理要求を受信したときに、後述のハンドセット状態記憶手段１６ｂに記憶しているハンドセット状態に基づいて、内線電話機２がハンドセット動作状態であると判断した場合に、内線電話機２のハンズフリー動作要求を送信し、内線電話機２がハンズフリー動作状態であると判断した場合に、内線電話機２のハンドセット動作要求を送信する等の動作を行うハンドセット／ハンズフリー通話制御手段である。
【００２５】
また１５ｃは、内線電話機２から機能キー押下情報を受信すると、後述の機能キーテーブル１６ｃに基づいて、押下された機能キー（本発明のボタン）に対応する機能を実行するための処理を行う機能キー処理手段であり、例えば、内線電話機２においてハンズフリー／フックキー２４ｄ（後述する）が押下されると、内線電話機２からハンズフリー／フックキー２４ｄのボタン番号（例えば、「４」）を含むボタン押下情報が主装置１に送信され、主装置１はこのボタン番号に対応する機能を後述の機能キーテーブル１６ｃから取り出して（ボタン番号「４」に対応する「ハンズフリー／フック」）、ヘッドセット／ハンズフリー通話制御手段１５ａやハンドセット／ハンズフリー通話手段１５ｂに取り出した情報を引き渡すように動作するものである。１５ｄは内線電話機のヘッドセットの機能をオンもしくはオフする設定を行うヘッドセットモード設定手段であり、内線電話機２ａ等から入力される情報に基づいて動作する。
【００２６】
続いて、１６はプログラムや各種設定情報等を記憶する記憶手段であり、以下説明するヘッドセット状態記憶手段１６ａ、ハンドセット状態記憶手段１６ｂ、フック状態記憶手段１６ｃ、内線機能キーテーブル１６ｄを含むものである。
【００２７】
１６ａは、ヘッドセットモード時のヘッドセット状態（ヘッドセット動作状態か、ハンズフリー動作状態か）を記憶するヘッドセット状態記憶手段、１６ｂはハンドセットモード時にハンドセット状態（ハンドセット動作状態か、ハンズフリー動作状態か）を記憶するハンドセット状態記憶手段、１６ｃは、内線電話機２がオフフック状態かオンフック状態であるかを記憶するフック状態記憶手段、１６ｄは内線インターフェイスに対応する内線番号ごとに、内線電話機の複数の機能ボタンにそれぞれ機能種別を割当てた内線機能キーテーブルであり、固定的に割当てられる領域と利用者等が設定により自由に機能を選択して割当てる領域とから構成される。１７は主装置全体を制御する制御手段である。
【００２８】
次に実施の形態１における内線電話機の外部構成について図２に基づいて説明する。図２において、２１は主装置からの表示情報に基づいた内容を表示するための表示手段、２２は機能キーテーブル１６ｄに利用者等により割当られた機能の実行を主装置に要求するための第１の機能ボタン群から構成される機能キー（入力手段）である。機能キー２２は本実施の形態では２２ａ〜２２ｄの４つのボタンから構成される。また、２３は電話番号等をダイヤルするために用いられるテンキーで構成される機能キー（入力手段）である。２４はリダイヤルキー２４ａ、保留キー２４ｂ、フラッシュキー２４ｃ、ハンズフリーキー２４ｄ、ハンズフリーＬＥＤ２４ｄ２、ポーズキー２４ｅ、転送キー２４ｆ等から構成され、機能キーテーブル１６ｄにより固定的に機能の実行を主装置に要求するための第２の機能ボタン群から構成された機能キー（入力手段）である。２５はハンドセット（図示せず）が電話機から持ち上げられているか否かを検出するためのフックスイッチ、２６はハンズフリー通話や着信鳴動音の出力に用いられるスピーカー、２７はハンズフリー通話等に用いられるマイク、２８はハンドセットやヘッドセットを接続するためのジャック、２９はマイク２９ａとイヤホン２９ｂを有するヘッドセットである。
【００２９】
続いて、内線電話機の内部構成について図３に基づいて説明する。図３において、３０は主装置の内線インターフェイスに接続するための通信インターフェイス、３１は機能キー２２，２３，２４の入力情報を検出する入力検出手段、３２は通信インターフェイス３０に接続され、主装置１から通信インターフェイス３０に入力される音声信号をジャック２６へ出力するとともに、ジャック２６から入力される音声信号を主装置１へ送信するために通信インターフェイス３０へ出力するハンドセット／ヘッドセット用音声回路、３３は通信インターフェイス３０に接続され、主装置１から通信インターフェイス３０に入力される音声信号を増幅してスピーカー２６へ出力するとともに、マイク２７から入力される音声信号を増幅して主装置１へ送信するために通信インターフェイス３０へ出力するハンドセット／ヘッドセット用音声回路、３４はフックスイッチ２５の状態を検出し、ハンドセット（図示せず）が電話機から持ち上げられているか否かを検出するフック検出手段、３５はヘッドセット機能やハンズフリー機能を動作させるためにハンドセット／ヘッドセット用音声回路やハンズフリー用音声回路を動作させり、入力検出手段３１により検出した機能キー２２，２３，２４に与えた入力情報を通信インターフェイス３０を介して送信させたりするなど、内線電話機２全体の制御を行う制御手段である。
【００３０】
図４は本発明の実施の形態１における主装置の機能キーテーブル図であり、内線電話機２の機能キー２２ａ〜２２ｄ、２４ａ〜２４ｆのそれぞれに対し、実行する機能を予め割当てた機能キーテーブルであり、内線番号ごと（あるいは内線インターフェイスごと）に存在し、主装置１の記憶手段１６に記憶されている。内線電話機２から機能キー２２、２４の押下情報が送信されると、主装置１は押下情報を送信した内線電話機２に対応する機能キーテーブルを取り出し、押下された機能キー番号に割当てられている機能を実行する。なお、主装置１に送信される押下情報には、機能キー２４ａ〜２４ｆに対し番号１〜６が、機能キー２２ａ〜２２ｄに対し番号７〜１０がそれぞれキー番号として含まれる。また、キー番号１〜６までは、予め固定的に機能との関係が決められており変更できないが、キー番号７〜１０までは、利用者等の設定により、内線電話機２等からキー番号毎に自由に機能の割当てが可能である。
【００３１】
なお、本実施の形態では内線毎の機能キーテーブルに固定的に機能を割り当てた領域（キー番号１〜６）をも割り当てているが、この領域を自由に割り当て設定が可能な領域（キー番号７〜１０）と分けて共用する別の機能キーテーブルとして存在させることも可能である。また、固定的に機能を割り当てた領域は、同じ種類の電話機であれば各内線で共通するため、内線毎にではなく、電話機の種類ごとの機能キーテーブルとして設けることもできる。
【００３２】
以上のように構成された電話装置の動作につき、以下具体的に図５のフローチャートを用いて説明する。図５は本発明の実施の形態１における電話装置を動作させるときのフローチャートである。
【００３３】
まず、内線電話機２の利用者が、内線電話機２の機能キー２２ａ（本発明の第２のボタン）を押下すると、入力検出手段３１によりその押下が検出され、制御手段３５にその検出情報が通知される。なお、機能キー２２ａは操作の頻度が高いため、押しやすい場所がよく、手前に配置するのが扱い易い。機能キー２２ａの押下検出情報の通知を受けた制御手段３５は、通信インターフェイス２９を介して、機能キー２２ａのキー番号「７」を含む機能キー押下情報を主装置１に送信する。主装置１の内線制御手段１５は、内線インターフェイス１３ａを介して、機能キー押下情報を受信すると、この情報を送信元の内線番号（ここでは「１０１」とする）とともに機能キー処理手段１５ｃに通知する。
【００３４】
機能キー処理手段１５ｃでは、内線制御手段１５から機能キー押下情報及び送信元内線番号を受信すると、記憶手段１６から機能キーテーブル１６ｄを取り出し、受信した機能キー押下情報に含まれるキー番号「７」及び送信元内線番号「１０１」に基づいて、実行すべき機能を「ヘッドセットモード切替キー」処理（ヘッドセット／ハンズフリー切替要求）であると判断する（Ｓ１）。さらに、機能キー処理手段１５ｃは、ヘッドセットモード設定手段１５ｄにより対象の内線電話機２（内線番号「１０１」）がヘッドセットモードに設定されているか否かを判定する（Ｓ３）。
【００３５】
対象の内線電話機１がヘッドセットモードに設定されている場合、機能キー処理手段１５ｃは、対象の内線電話機２が現に通話中であるかどうかを判定する（Ｓ４）。機能キー処理手段１５ｃは対象の内線電話機２が通話中でないと判定すると、処理を終了する（Ｓ５）。一方、機能キー処理手段１５ｃは対象の内線電話機２が通話中であると判定すると、機能キー処理手段１５ｃはヘッドセット／ハンズフリー通話制御手段１５ａに対し、内線番号１０１の電話機が「ヘッドセットモード切替キー」の押下情報を通知する。ヘッドセット／ハンズフリー通話制御手段１５ａは「ヘッドセットモード切替キー」の押下情報及び内線番号情報が通知されると、ヘッドセット状態記憶手段１６ａを参照し、対象の内線電話機がヘッドセット通話状態であるか否かを判定する（Ｓ６）。
【００３６】
そして、対象の内線電話機２がヘッドセット通話状態（ハンドセット状態ＯＮ）であると判定した場合、ヘッドセット／ハンズフリー通話制御手段１５ａは、内線インターフェイス１３ａを介して、内線電話機２のハンズフリー動作要求とともに、内線電話機２の表示手段２１への表示要求（「ハンズフリー」と表示する情報）及びハンズフリーＬＥＤ２４ｄ２の点灯要求を送信する（Ｓ７）。これらの要求を通信インターフェイス３０を介して受信した内線電話機２の制御手段３５は、ハンドセット／ヘッドセット音声回路３２と通信インターフェイス３０間の音声パスの接続を遮断して、ハンドセット／ヘッドセット音声回路３２を非動作状態にするとともに、ハンズフリー用音声回路３３と通信インターフェイス３０間の音声パスを接続して、ハンズフリー用音声回路３３を動作状態にする。
【００３７】
また、制御手段３５は、受信した情報に従い表示手段２１に「ハンズフリー」と表示するとともに、ハンズフリーＬＥＤ２４ｄ２の点灯を点灯させる。従って、内線電話機２の利用者は、ハンズフリー回路３３、マイク２７、スピーカ２７等によりハンズフリー機能を利用することができ、また表示手段及びＬＥＤにハンズフリー状態である旨の表示をするので、内線電話機の利用者は容易にハンズフリー機能が動作していることを理解することができる。
【００３８】
一方、Ｓ６で内線電話機２がハンズフリー動作状態（ヘッドセット状態ＯＦＦ）であると判定した場合には、ヘッドセット／ハンズフリー通話制御手段１５ａは、内線電話機２のヘッドセット動作要求とともに、内線電話機２の表示手段２１への表示要求（「ヘッドセット」と表示する情報）及びハンズフリーＬＥＤ２４ｄ２の消灯要求を送信する（Ｓ８）。
【００３９】
そして、既に説明したＳ３において、対象の内線電話機（内線番号「１０１」）がヘッドセットモードに設定されていないと判定した場合には、そのまま終了する（Ｓ５）。
【００４０】
このように本実施の形態１によれば、ヘッドセット通話モードに設定されて、通話中の場合には、機能キー２２ａを押すだけで、ヘッドセット通話モードからハンズフリー通話への切り替え、及びその逆の切替を行うことがワンタッチで行うことができる。
【００４１】
以上の説明では、内線番号１０１の内線電話機２において、キー番号７の機能キー２２ａが押下された場合の動作を説明したが、内線番号１０１の内線電話機２において、キー番号の４のハンズフリー／フックキー２４ｄ（本発明の第１のボタン）が押下された場合の動作について、以下説明する。
【００４２】
内線番号１０１の内線電話機において、キー番号の４のハンズフリー／フックキー２４ｄが押下された場合、制御手段３５により、機能キー２２ａのキー番号「４」を含む機能キー押下情報を主装置１に送信される。なお、ハンズフリー／フックキー２４ｄは頻繁に利用されるため、電話機手前側に配置されることが望ましい。
【００４３】
主装置１の内線制御手段１５は、内線インターフェイス１３ａを介して、機能キー押下情報を受信すると、該情報を送信元の内線番号「１０１」とともに機能キー処理手段１５ｃに通知する。機能キー処理手段１５ｃでは、内線制御手段１５から機能キー押下情報及び送信元内線番号を受信すると、記憶手段１６から機能キーテーブル１６ｄを取り出し、受信した機能キー押下情報に含まれるキー番号「４」及び送信元内線番号「１０１」に基づいて、実行すべき機能を「ハンズフリー／フック」処理であると判断する（Ｓ２）。これ以外の場合は他の機能キーによる別の処理を行う（ｓ１８）。次いで、機能キー処理手段１５ｃは、ヘッドセットモード設定手段により対象の内線電話機（内線番号「１０１」）がヘッドセットモードに設定されているか否かを判定する（Ｓ９）。対象（内線番号１０１）の内線電話機１がヘッドセットモードに設定されている場合、機能キー処理手段１５ｃは、さらに対象の内線電話機２がオンフック状態であるかどうかを判定する（Ｓ１０）。
【００４４】
機能キー処理手段１５ｃは対象の内線電話機２がオンフック状態、即ちオフフック状態でないと判定すると、内線電話機２をオフフック状態にするために、内線電話機２に対し、通信インターフェイス３０をオフフック状態にするように要求する信号を送信するとともに、制御手段１７に対し、対象の内線電話機２がオフフックした旨を通知し、制御手段１７は通知された情報に従い対象の内線電話機２のオフフック処理を行う（Ｓ１１）。一方、機能キー処理手段１５ｃは対象の内線電話機２がオフフック状態でであると判定すると、内線電話機２をオンフック状態にするために、内線電話機２に対し、通信インターフェイス３０をオンフック状態にするように要求する信号を送信するとともに、制御手段１７に対し、内線電話機２がオンフックした旨を通知し、制御手段１７は通知された情報に従い対象の内線電話機２のオンフック処理を行う（Ｓ１２）。
【００４５】
また、Ｓ９で機能キー処理手段１５ｃが、ヘッドセットモード設定手段１５ｄにより対象の内線電話機２がヘッドセットモードに設定されていないと判定した場合、さらに対象の内線電話機２がオンフック状態であるかを判定する（Ｓ１３）。機能キー処理手段１５が対象の内線電話機２がオンフック状態であると判定した場合、ハンドセット／ハンズフリー通話制御手段１５ｂは、内線インターフェイス１３ａを介して、内線電話機２のハンズフリー動作要求、オフフック要求を送信とともに、内線電話機２の表示手段２１への表示要求（「ハンズフリー」と表示する情報）及びハンズフリーＬＥＤ２４ｄ２の点灯要求を送信する（Ｓ１４）。
【００４６】
これらの要求を通信インターフェイス３０を介して受信した内線電話機２の制御手段３５は、ハンドセット／ヘッドセット音声回路３２と通信インターフェイス３０間の音声パスの接続を遮断して、ハンドセット／ヘッドセット音声回路３２を非動作状態にするとともに、ハンズフリー用音声回路３３と通信インターフェイス３０間の音声パスを接続して、ハンズフリー用音声回路３３を動作状態にし、さらに通信インターフェイス３０をオフフック状態にする。また、制御手段３５は、受信した情報に従い表示手段２１に「ハンズフリー」と表示するとともに、ハンズフリーＬＥＤ２４ｄ２の点灯を点灯させる。従って、内線電話機２の利用者は、ハンズフリー回路３３、マイク２６、スピーカ２７等によりハンズフリー機能を利用することができ、また表示手段及びＬＥＤにハンズフリー状態である旨の表示をするので、内線電話機２の利用者は容易にハンズフリー機能が動作していることを理解することができる。
【００４７】
Ｓ１３において、機能キー処理手段１５ｃが対象の内線電話機２がオフフック状態であると判定した場合、さらに対象の内線電話機２がハンズフリー動作中であるか否かを判定する（Ｓ１５）。判定の結果、ハンズフリー動作中である場合には、ハンドセット／ハンズフリー通話制御手段１５ｂは、内線インターフェイス１３ａを介して、内線電話機２のハンズフリー動作停止要求を行うとともに、内線電話機２の表示手段２１への表示消去要求及びハンズフリーＬＥＤ２４ｄ２の消灯要求を送信する（Ｓ１６）。
【００４８】
これらの要求を通信インターフェイス３０を介して受信した内線電話機２の制御手段３５は、ハンドセット／ヘッドセット音声回路３２と通信インターフェイス３０間の音声パスの接続をして、ハンドセット／ヘッドセット音声回路３２を動作状態にするとともに、ハンズフリー用音声回路３３と通信インターフェイス３０間の音声パスの接続を遮断して、ハンズフリー用音声回路３３を非動作状態にする。また、制御手段３５は、受信した情報に従い表示手段２１を通常表示（時計表示）するとともに、ハンズフリーＬＥＤ２４ｄ２の点灯を消す。さらに主装置１は、通信インターフェイス３０に対しオンフック状態にするように要求し、内線電話機２はその情報に基づいてオンフック状態にする。
【００４９】
また、Ｓ１５において、判定の結果ハンズフリー動作中でない場合には、ハンドセット／ハンズフリー通話制御手段１５ｂは、内線インターフェイス１３ａを介して、内線電話機２のハンズフリー動作要求を送信とともに、内線電話機２の表示手段２１への表示要求（「ハンズフリー」と表示する情報）及びハンズフリーＬＥＤ２４ｄ２の点灯要求を送信する（Ｓ１７）。
【００５０】
これらの要求を通信インターフェイス３０を介して受信した内線電話機２の制御手段３５は、ハンドセット／ヘッドセット音声回路３２と通信インターフェイス３０間の音声パスの接続を遮断して、ハンドセット／ヘッドセット音声回路３２を非動作状態にするとともに、ハンズフリー用音声回路３３と通信インターフェイス３０間の音声パスを接続して、ハンズフリー用音声回路３３を動作状態にする。また、制御手段３５は、受信した情報に従い表示手段２１に「ハンズフリー」と表示するとともに、ハンズフリーＬＥＤ２４ｄ２の点灯を点灯させる。
【００５１】
以上のように、本実施の形態１によれば、ハンドセットモード時には、ハンズフリー通話を指示するためのボタン（第１のボタン）をヘッドセットモード時には、フックボタンとして使用することができるため、例えば、ハンズフリー／フックボタンのように、ハンドセットモード時にハンドセットを置いたままで通話をする場合に、オフフックやオンフックの要求を兼ね備えたボタンを、ヘッドセットモード時にもオフフックやオンフック要求のために使用できるため、利用者にとって極めてわかり易い電話装置を提供することが可能となる。
【００５２】
【発明の効果】
本発明の電話装置によれば、ヘッドセット通話時に、ヘッドセット通話とハンズフリー通話との切替を指示するために用いられるボタンを設けたので、ヘッドセット通話中に少し離れた場所へ資料を探しに行く場合等においても、所定のボタンを押すだけで、ヘッドセット通話時からハンズフリー通話への切り替え、及びその逆の切替を行うことができるということができる。
【図面の簡単な説明】
【図１】本発明の実施の形態１における構内交換機のブロック図
【図２】本発明の実施の形態１における内線電話機の概観図
【図３】本発明の実施の形態１における内線電話機のブロック図
【図４】本発明の実施の形態１における主装置の機能キーテーブル図
【図５】本発明の実施の形態１における電話装置を動作させるときのフローチャート
【符号の説明】
１  構内交換機主装置
２  内線電話機
１１  アナログ外線インターフェイス
１２  デジタル外線インターフェイス
１３  内線インターフェイス
１４  スイッチ手段
１５  内線制御回路
１５ａ  ヘッドセット／ハンズフリー通話制御手段
１５ｂ  ハンドセット／ハンズフリー通話制御手段
１５ｃ  機能キー処理手段
１５ｄ  ヘッドセットモード設定手段
１６  記憶手段
１６ａ  ヘッドセット状態記憶手段
１６ｂ  ハンドセット状態記憶手段
１６ｃ  フック状態記憶手段
１６ｄ  機能キーテーブル
１７  制御手段
２１  表示手段
２２，２３，２４  機能キー
２４ａリダイヤルキー
２４ｂ  保留キー
２４ｃ  フラッシュキー
２４ｄ  ハンズフリー／フックキー
２４ｄ２  ハンズフリーＬＥＤ
２４ｅ  ポーズキー
２４ｆ  転送キー
２５  フックスイッチ
２６  スピーカ
２７  マイク
２８  ジャック
２９  ヘッドセット
２９ａ  ヘッドセットマイク
２９ｂ  ヘッドセットイヤホン
３０  入力検出手段
３１  通信インターフェイス
３２  ハンドセット／ヘッドセット音声回路
３３  ハンズフリー用音声回路
３４  フック検出手段
３５  制御手段
【図１】
2004282332.tif 000003
【図２】
2004282332.tif 000004
【図３】
2004282332.tif 000005
【図４】
2004282332.tif 000006
【図５】
2004282332.tif 000007